(57)【要約】【課題】  一般のラジオ、テレビ等の公共放送無線受信装置を用いて特定の地域に密着した最適な緊急警報情報を報知することができるようにした緊急警報発生装置を提供する。【解決手段】  キャリア信号発生回路１０−１、１０−２、…１０−８から発生されたラジオ、テレビ等の受信チャネルに対応する複数の周波数帯の複数のキャリア信号で音声合成ＩＣ４０から出力またはハンドマイク２１０から入力された所定の緊急警報を行う音声信号を変調回路２０−１、２０−２、…２０−８で変調し、この変調回路２０−１、２０−２、…２０−８の出力をコンバイナ回路６０で合成してアンテナ２２０から送信し、このアンテナ２２０から送信された音声信号を受信中の一般のラジオ、テレビ等の音声に混信させて緊急警報情報の報知を行う。【選択図】  図１
2005182381.tif 000002
【特許請求の範囲】
【請求項１】
所定の緊急警報を行う音声信号を発生する音声信号発生回路と、
ラジオ、テレビ等の公共放送無線受信装置の受信チャネルに対応する複数の周波数帯の複数のキャリア信号をそれぞれ発生する複数のキャリア信号発生回路と、
前記複数のキャリア信号発生回路から発生された複数のキャリア信号で前記音声信号発生回路から発生された音声信号を前記公共放送無線受信装置の受信可能な変調方式でそれぞれ変調することにより複数の音声変調信号を出力する複数の変調回路と、
前記複数の変調回路の出力を合成するコンバイナ回路と、
前記コンバイナ回路の出力を電力増幅する電力増幅回路と
を具備することを特徴とする緊急警報発生装置。
【請求項２】
前記音声発生回路は、
マイクロフォンから入力された音声に基づき前記音声信号を発生する
ことを特徴とする請求項１記載の緊急警報発生装置。
【請求項３】
前記音声発生回路は、
音声合成により前記音声信号を発生する音声合成集積回路
を含むことを特徴とする請求項１記載の緊急警報発生装置。
【発明の詳細な説明】
【技術分野】
【０００１】
本発明は、緊急警報発生装置に関し、詳しくは、ラジオ、テレビ等の一般の公共放送無線受信装置を用いて地震発生等に際しての緊急警報情報の報知を行うことができるようにした緊急警報発生装置に関する。
【背景技術】
【０００２】
一般に、地震等の発生時に所定の地域に緊急警報を行う緊急警報装置としては、特定の無線周波数帯を用いた災害無線システムが知られている。
【０００３】
しかし、この種の災害無線システムにおいて、この緊急警報を受信するために、この特定の無線周波数帯の緊急警報を受信できる専用の受信機を設置しなければならない。
【０００４】
そこで、従来、この種の緊急警報を家庭のラジオ等の公共放送無線無線受信機で受信することを可能にする装置として、特許文献１に開示された緊急警報受信機が提案されている。
【０００５】
この特許文献１に開示された緊急警報受信機は、地震の発生を揺れ検知センサで検知してラジオ電源スイッチを自動的にオンにして、スピーカから一定時間警報音を鳴らし、その後、緊急放送を聴くためのチャネルを自動選択して、このチャネルにおいて所望の緊急警報情報を聴くことができるように構成されている。
【特許文献１】特開平９−９３１５０
【発明の開示】
【発明が解決しようとする課題】
【０００６】
しかし、上記特許文献１に記載された技術を用いても、緊急警報情報を得るためには、特許文献１に記載された特殊の緊急警報受信機を各家庭に設置する必要があり、また、ここで得られる緊急警報情報も、例えば、ＮＨＫ等の公共放送で放送された情報でしかなく、特定の地域に密着した最適な緊急警報情報が得られるとは限らない。
【０００７】
そこで、この発明は、一般のラジオ、テレビ等の公共放送無線受信装置を用いて特定の地域に密着した最適な緊急警報情報を報知することができるようにした緊急警報発生装置を提供することを目的とする。
【課題を解決するための手段】
【０００８】
上記目的を達成するため、この発明の緊急警報発生装置は、所定の緊急警報を行う音声信号を発生する音声信号発生回路と、ラジオ、テレビ等の公共放送無線受信装置の受信チャネルに対応する複数の周波数帯の複数のキャリア信号をそれぞれ発生する複数のキャリア信号発生回路と、前記複数のキャリア信号発生回路から発生された複数のキャリア信号で前記音声信号発生回路から発生された音声信号を前記公共放送無線受信装置の受信可能な変調方式でそれぞれ変調することにより複数の音声変調信号を出力する複数の変調回路と、前記複数の変調回路の出力を合成するコンバイナ回路と、前記コンバイナ回路の出力を電力増幅する電力増幅回路とを具備することを特徴とする。
【０００９】
ここで、音声信号発生回路から発生される特定の緊急警報を行う音声信号は、特定の地域に密着した特定の地域に特に有効な緊急警報を含むものであり、例えば、地震発生時にこの緊急警報装置にハンドマイクロフォン等から入力した音声信号若しくは音声合成集積回路から音声合成により発生された所定の音声信号を用いることができる。
【発明の効果】
【００１０】
この発明によれば、この発明に係わる緊急警報発生装置を、例えば、公報車等に搭載して所定の地域を循環することで、この地域の各家庭または路上で聴取中の一般のラジオ、テレビ等の公共放送無線受信装置の受信チャネルの音声にこの緊急警報発生装置から発生される音声信号を混信させて緊急警報情報の報知を行うことができ、この音声信号は地震発生時にハンドマイクロフォン等から入力した特定の地域に特に有効な緊急警報情報を含むものとすることができるので、特定の地域に密着した有効な緊急警報情報の報知を簡易に行うことができるという効果を奏する。
【発明を実施するための最良の形態】
【００１１】
以下、この発明に係わる緊急警報発生装置の一実施例を添付図面を参照して詳細に説明する。
【００１２】
図１は、この発明に係わる緊急警報発生装置の一実施例の回路構成を示すブロック図である。
【００１３】
図１において、この緊急警報発生装置１００は、ラジオ、テレビ等の公共放送無線受信装置の受信チャネルに対応する周波数帯の８個のキャリア信号をそれぞれ発生する８個のキャリア信号発生回路１０−１、１０−２、…１０−８と、上記８個のキャリア信号で上記公共放送無線受信装置でそれぞれ受信可能な変調方式の変調を行う８個の変調回路２０−１、２０−２、…２０−８と、変調回路２０−１、２０−２、…２０−８の出力をそれぞれ電力増幅する８個の電力増幅回路３０−１、３０−２、…３０−８と、所定の緊急警報を行う音声信号を発生する音声合成ＩＣ（音声合成集積回路）４０と、音声合成ＩＣ４０の出力を増幅して変調回路２０−１、２０−２、…２０−８に加える音声増幅回路５０と、電力増幅回路３０−１、３０−２、…３０−８の出力を合成するコンバイナ回路６０と、このコンバイナ回路６０の出力を電力増幅する電力増幅回路７０と、この緊急警報発生装置１００の各部に電力を供給する電源回路８０と、電源回路８０の電源をオン、オフする電源スイッチ８１とを具備し、音声増幅回路５０には、マイク端子９１を介してハンドマイクロフォン（以下、ハンドマイクという）２１０を着脱自在に接続し、電力増幅回路７０の出力をアンテナ端子９２を介してアンテナ２２０に接続するように構成されている。
【００１４】
ここで、キャリア信号発生回路１０−１、１０−２、…１０−８から発生されるキャリア信号は、例えば、ＡＭ、ＦＭ、ＴＶ公共放送のそれぞれのいくつかの放送チャネルに対応する周波数ｆ１、ｆ２、…ｆ８のキャリア信号である。
【００１５】
これらキャリア信号の周波数ｆ１、ｆ２、…ｆ８は、例えば、周波数ｆ１は、ＮＨＫラジオ第１放送、周波数ｆ２は、ＮＨＫラジオＦＭ放送、周波数ｆ３〜ｆ８は、１、４、６、８、１０、１２チャネルのテレビ放送に対応する周波数に割り当てて設定することができる。
【００１６】
変調回路２０−１、２０−２、…２０−８は、キャリア信号発生回路１０−１、１０−２、…１０−８から発生された周波数ｆ１、ｆ２、…ｆ８のキャリア信号を、音声増幅回路５０から出力された音声信号で変調するもので、この変調においては、割り当てられた公共放送で用いられている変調方式で変調を行う。
【００１７】
例えば、周波数ｆ１のキャリア信号の変調を行う変調回路２０−１においては、ＡＭ変調方式が採用され、周波数ｆ２のキャリア信号の変調を行う変調回路２０−２においては、ＦＭ変調方式が採用され、周波数ｆ３〜ｆ８のキャリア信号の変調を行う変調回路２０−３〜２０−８においては、ＴＶ放送の変調方式が採用される。
【００１８】
コンバイナ回路６０は、変調回路２０−１、２０−２、…２０−８の出力をそれぞれ電力増幅する８個の電力増幅回路３０−１、３０−２、…３０−８の出力を合成する。このコンバイナ回路６０としては、周知の電力合成回路を用いて構成することができる。
【００１９】
なお、音声増幅回路５０には、音声合成ＩＣ４０の出力に加えて、マイク端子９１を介してハンドマイク２１０の出力が入力できるように構成されているが、音声増幅回路５０においては、マイク端子９１にハンドマイク２１０が接続されていない場合は、音声合成ＩＣ４０の出力を優先的に選択して増幅出力し、マイク端子９１にハンドマイク２１０が接続されている場合は、ハンドマイク２１０の出力を選択して増幅出力するように構成されている。
【００２０】
なお、音声合成ＩＣ４０の出力とハンドマイク２１０の出力とを切り替える切替スイッチを設けて、切替スイッチにより音声合成ＩＣ４０の出力とハンドマイク２１０の出力といずれか一方を選択するように構成してもよい。
【００２１】
また、図１に示した構成においては、緊急警報のために公共放送の８チャネルを割り当てた構成を示したが、この緊急警報のために割り当てる公共放送のチャネルは、７チャネル以下でも、また、９チャネル以上でもよい。
【００２２】
図２は、図１に示した緊急警報発生装置１００の外観を示した外観図である。
【００２３】
この緊急警報発生装置１００の筐体の前面には、図１に示した電源スイッチ８１およびマイク端子９１が配設され、この緊急警報発生装置１００の筐体の背面には、図１に示したアンテナ端子９２が配設される。
【００２４】
そして、マイク端子９１には、ハンドマイク２１０が着脱自在に接続され、アンテナ端子９２には、アンテナ２２０が接続される。
【００２５】
上記構成において、この緊急警報発生装置１００の電源スイッチ８１をオンにすると、音声合成ＩＣ４０から出力される所定の緊急警報の報知を行う音声信号がアンテナ２２０から各公共放送の周波数帯の電波として送出され、この音声信号は、緊急警報発生装置１００の電波が届く範囲のエリア内において、受信中のテレビ、ラジオ等の公共放送無線受信装置の音声信号に混信して傍受される。
【００２６】
ここで、緊急警報発生装置１００の出力強度を電力増幅回路７０で適正に設定しておけば、限られたエリアの受信中のテレビ、ラジオ等の公共放送無線受信装置の音声信号に音声合成ＩＣ４０から出力される所定の緊急警報を行う音声信号を選択的に混信させることができ、これにより特定の地域に対する選択的緊急警報が可能になる。
【００２７】
また、音声合成ＩＣ４０から出力される音声信号を特定の地域に限定した内容とすることで、特定の地域に密着した有効な緊急警報を行うことが可能になる。
【００２８】
また、この緊急警報発生装置１００にマイク端子９１を介してハンドマイク２１０を接続すると、上記音声合成ＩＣ４０の出力に代えてハンドマイク２１０から入力された音声信号がアンテナ２２０から各公共放送の周波数帯の電波として送出され、これにより、ハンドマイク２１０を用いた緊急警報も可能になり、状況に即時的に対応した更に有効な緊急警報の報知を行うこともできる。
【００２９】
図３は、図１に示した緊急警報発生装置１００の利用形態の一例を概念的に示したものである。
【００３０】
図３に示すこの緊急警報発生装置１００の利用形態においては、地震等の発生時に、公共機関の公報車等の車両３００にこの緊急警報発生装置１００を搭載して、緊急警報の報知が必要な特定の地域を循環する。
【００３１】
そして、この時点で、一般の住宅４０１で、この緊急警報発生装置１００で緊急警報を発生する周波数帯のラジオ放送をラジオ３１１で受信中であり、また、他の住宅４０２で、この緊急警報発生装置１００で緊急警報を発生する周波数帯のテレビ放送をテレビ２１１で受信中であり、また、例えば、路上において、この緊急警報発生装置１００で緊急警報を発生する周波数帯のラジオ放送をラジオ３１２で受信中であり、また、集合住宅５００で、この緊急警報発生装置１００で緊急警報を発生する周波数帯のテレビ放送をテレビ２１２、２１３、２１４、２１５で受信中であるとする。
【００３２】
この場合、住宅４０１では、受信中のラジオ３１１の聴取音声にこの緊急警報発生装置１００で緊急警報として送信される音声信号が混信して聴こえ、これによりラジオ３１１の聴取者に緊急警報情報を伝えることができる。
【００３３】
また、住宅４０２では、受信中のテレビ２１１の聴取音声にこの緊急警報発生装置１００で緊急警報として送信される音声信号が混信して聴こえ、これによりテレビ２１１の視聴者に緊急警報情報を伝えることができる。
【００３４】
また、路上等で受信中の受信中のラジオ３１２の聴取音声にもこの緊急警報発生装置１００で緊急警報として送信される音声信号が混信して聴こえ、これによりラジオ３１２の聴取者にも緊急警報情報を伝えることができる。
【００３５】
また、集合住宅５００では、この緊急警報発生装置１００で緊急警報として送信される音声信号が集中アンテナ５０１を介して各テレビ２１２、２１３、２１４、２１５で受信され、この音声信号がテレビ２１２、２１３、２１４、２１５の聴取音声に混信して聴こえ、これによりテレビ２１２、２１３、２１４、２１５の視聴者にも緊急警報情報を伝えることができる。
【００３６】
このような利用形態によると、この緊急警報発生装置１００を公報車等の車両３００に搭載して、緊急警報情報の報知が必要な特定の地域を循環するだけで、特定の地域に密着した有効な緊急警報の報知を簡易に行うことができ、また、この場合においても、ハンドマイク２１０を用いることにより、この特定の地域の状況に即時的に対応した緊急警報情報の報知を有効に行うことが可能になる。
【産業上の利用可能性】
【００３７】
この発明の緊急警報発生装置は、公共機関等からの特定の地域に密着した最適な緊急警報情報の報知に利用可能である。この発明によれば、受信中の一般のラジオ、テレビ等の公共放送無線受信装置を利用して用いて緊急警報情報の報知を行うので、緊急警報情報の受信側においては特別の機器は必要がなく、最小の設備で特定の地域の状況に即時的に対応した非常に有効な緊急警報情報の報知を行うことが可能になる。
【図面の簡単な説明】
【００３８】
【図１】この発明に係わる緊急警報発生装置の一実施例の回路構成を示すブロック図である。
【図２】図１に示した緊急警報発生装置１００の外観を示した外観図である。
【図３】図１に示した緊急警報発生装置１００の利用形態の一例を概念的に示した概念図である。
【符号の説明】
【００３９】
１０−１、１０−２、…１０−８    キャリア信号発生回路
２０−１、２０−２、…２０−８    変調回路
３０−１、３０−２、…３０−８    電力増幅回路
４０    音声合成ＩＣ（音声合成集積回路）
５０    音声増幅回路
６０    コンバイナ回路
７０    電力増幅回路
８０    電源回路
８１    電源スイッチ
９１    マイク端子
９２    アンテナ端子
１００    緊急警報発生装置
２１０    ハンドマイクロフォン（ハンドマイク）
２２０    アンテナ
【図１】
2005182381.tif 000003
【図２】
2005182381.tif 000004
【図３】
2005182381.tif 000005